【手続補正書】
【提出日】平成28年6月29日(2016.6.29)
【手続補正１】
【補正対象書類名】明細書
【補正対象項目名】発明の名称
【補正方法】変更
【補正の内容】
【発明の名称】画像形成装置、画像形成システム、その制御方法及びプログラム
【手続補正２】
【補正対象書類名】明細書
【補正対象項目名】０００１
【補正方法】変更
【補正の内容】
【０００１】
本発明は、画像形成装置、画像形成システム、その制御方法及びプログラムに関する
【手続補正３】
【補正対象書類名】明細書
【補正対象項目名】０００７
【補正方法】変更
【補正の内容】
【０００７】
本発明は、携帯記憶媒体の移動速度と画像形成装置との距離の情報を用いて、画像形成装置へのログイン処理を容易に行わせる仕組みを提供することを目的とする。
【手続補正４】
【補正対象書類名】明細書
【補正対象項目名】０００８
【補正方法】変更
【補正の内容】
【０００８】
本発明は、画像形成装置にログインするために用いる識別情報を記憶した携帯記憶媒体と通信可能な画像形成装置であって、前記画像形成装置と通信している前記携帯記憶媒体と前記画像形成装置との位置関係により前記携帯記憶媒体と前記画像形成装置との距離を特定する距離特定手段と、前記画像形成装置と通信している前記携帯記憶媒体の移動速度を、前記携帯記憶媒体の移動量の情報を用いて特定する速度特定手段と、前記速度特定手段により特定された速度が、前記携帯記憶媒体より得られた識別情報を用いた前記画像形成装置へのログインを行うための速度にかかる条件を満たし、且つ、前記距離特定手段により特定された距離が、前記識別情報を用いた前記画像形成装置へのログインを行うための距離にかかる条件を満たしているか判定する判定手段と、前記判定手段で、前記速度特定手段により特定された速度が前記速度にかかる条件を満たし、且つ、前記距離特定手段により特定された距離が、前記識別情報を用いた前記画像形成装置へのログインを行うための距離にかかる条件を満たしていると判定された場合に、前記携帯記憶媒体より得られた識別情報を用いた前記画像形成装置へのログイン処理を行うべく制御するログイン制御手段と、を備えることを特徴とする。
【手続補正５】
【補正対象書類名】明細書
【補正対象項目名】０００９
【補正方法】変更
【補正の内容】
【０００９】
本発明によれば、携帯記憶媒体の移動速度と画像形成装置との距離の情報を用いて、画像形成装置へのログイン処理を容易に行わせる仕組みを提供することができる。
【手続補正６】
【補正対象書類名】特許請求の範囲
【補正対象項目名】全文
【補正方法】変更
【補正の内容】
【特許請求の範囲】
【請求項１】
画像形成装置にログインするために用いる識別情報を記憶した携帯記憶媒体と通信可能な画像形成装置であって、
前記画像形成装置と通信している前記携帯記憶媒体と前記画像形成装置との位置関係により前記携帯記憶媒体と前記画像形成装置との距離を特定する距離特定手段と、
前記画像形成装置と通信している前記携帯記憶媒体の移動速度を、前記携帯記憶媒体の移動量の情報を用いて特定する速度特定手段と、
前記速度特定手段により特定された速度が、前記携帯記憶媒体より得られた識別情報を用いた前記画像形成装置へのログインを行うための速度にかかる条件を満たし、且つ、前記距離特定手段により特定された距離が、前記識別情報を用いた前記画像形成装置へのログインを行うための距離にかかる条件を満たしているか判定する判定手段と、
前記判定手段で、前記速度特定手段により特定された速度が前記速度にかかる条件を満たし、且つ、前記距離特定手段により特定された距離が、前記識別情報を用いた前記画像形成装置へのログインを行うための距離にかかる条件を満たしていると判定された場合に、前記携帯記憶媒体より得られた識別情報を用いた前記画像形成装置へのログイン処理を行うべく制御するログイン制御手段と、
を備えることを特徴とする画像形成装置。
【請求項２】
前記判定手段は、前記距離特定手段により特定された距離が前記画像形成装置から所定の距離範囲内である場合に前記距離にかかる条件を満たしていると判定し、前記速度特定手段により取得された速度が所定の速度に達している場合に前記速度にかかる条件を満たしていると判定することを特徴とする請求項１に記載の画像形成装置。
【請求項３】
前記判定手段で、前記距離特定手段により特定された距離が前記距離にかかる条件を満たしていると判定され、且つ、前記速度特定手段により特定された速度が前記速度にかかる条件を満たしていると判定されている時間を記憶する時間記憶手段と、
前記時間記憶手段で記憶している時間が所定の時間に達したか判定する第１の時間判定手段と、
を備え、
前記ログイン制御手段は、前記第１の時間判定手段で、前記時間記憶手段で記憶している時間が所定の時間に達したと判定された場合に、前記識別情報を用いたログイン処理を行うべく制御することを特徴とする請求項１又は２に記載の画像形成装置。
【請求項４】
前記第１の時間判定手段で、前記時間記憶手段で記憶している時間が所定の時間に達したと判定されてから、更に所定の時間が経過したか判定する第２の時間判定手段と、
前記第２の時間判定手段で所定の時間が経過したと判定された場合に、前記第２の時間判定手段で所定の時間が経過したと判定された携帯記憶媒体より得られた識別情報を用いた、前記ログイン制御手段による自機画像形成装置へのログイン処理を行わないよう除外する除外識別情報を特定する除外識別情報特定手段と、
を備え、
前記ログイン制御手段は、前記除外識別情報特定手段により特定された前記除外識別情報を用いることなく、前記除外識別情報を除いた識別情報のうち前記距離にかかる条件及び前記速度にかかる条件を満たした前記携帯記憶媒体から得られた前記識別情報を用いて、自機画像形成装置へのログイン処理を行うことを特徴とする請求項３に記載の画像形成装置。
【請求項５】
前記携帯記憶媒体であって、前記判定手段で、前記距離特定手段により特定された距離が前記距離にかかる条件を満たしていると判定され、且つ、前記速度特定手段により特定された速度が前記速度にかかる条件を満たしていると判定された携帯記憶媒体が複数あるか判定する媒体数判定手段と、
前記媒体数判定手段で、前記距離にかかる条件及び前記速度にかかる条件を満たしていると判定された携帯記憶媒体が複数あると判定された場合に、当該複数の携帯記憶媒体から得られた複数の識別情報から前記ログイン制御手段により自機画像形成装置にログインさせるために用いる識別情報を選択させる選択画面を表示する選択画面表示手段と、
を備え、
前記ログイン制御手段は、選択画面表示手段で表示された選択画面において選択された前記識別情報を用いたログイン処理を行うべく制御することを特徴とする請求項１乃至４のいずれか１項に記載の画像形成装置。
【請求項６】
画像形成装置にログインするために用いる識別情報を記憶した携帯記憶媒体と通信可能な画像形成装置の制御方法であって、
前記画像形成装置と通信している前記携帯記憶媒体と前記画像形成装置との位置関係により前記携帯記憶媒体と前記画像形成装置との距離を特定する距離特定工程と、
前記画像形成装置と通信している前記携帯記憶媒体の移動速度を、前記携帯記憶媒体の移動量の情報を用いて特定する速度特定工程と、
前記速度特定工程により特定された速度が、前記携帯記憶媒体より得られた識別情報を用いた前記画像形成装置へのログインを行うための速度にかかる条件を満たし、且つ、前記距離特定工程により特定された距離が、前記識別情報を用いた前記画像形成装置へのログインを行うための距離にかかる条件を満たしているか判定する判定工程と、
前記判定工程で、前記速度特定工程により特定された速度が前記速度にかかる条件を満たし、且つ、前記距離特定工程により特定された距離が、前記識別情報を用いた前記画像形成装置へのログインを行うための距離にかかる条件を満たしていると判定された場合に、前記携帯記憶媒体より得られた識別情報を用いた前記画像形成装置へのログイン処理を行うべく制御するログイン制御工程と、
を含むことを特徴とする画像形成装置の制御方法。
【請求項７】
画像形成装置にログインするために用いる識別情報を記憶した携帯記憶媒体と通信可能な画像形成装置で実行が可能なプログラムであって、
前記画像形成装置を、
前記画像形成装置と通信している前記携帯記憶媒体と前記画像形成装置との位置関係により前記携帯記憶媒体と前記画像形成装置との距離を特定する距離特定手段と、
前記画像形成装置と通信している前記携帯記憶媒体の移動速度を、前記携帯記憶媒体の移動量の情報を用いて特定する速度特定手段と、
前記速度特定手段により特定された速度が、前記携帯記憶媒体より得られた識別情報を用いた前記画像形成装置へのログインを行うための速度にかかる条件を満たし、且つ、前記距離特定手段により特定された距離が、前記識別情報を用いた前記画像形成装置へのログインを行うための距離にかかる条件を満たしているか判定する判定手段と、
前記判定手段で、前記速度特定手段により特定された速度が前記速度にかかる条件を満たし、且つ、前記距離特定手段により特定された距離が、前記識別情報を用いた前記画像形成装置へのログインを行うための距離にかかる条件を満たしていると判定された場合に、前記携帯記憶媒体より得られた識別情報を用いた前記画像形成装置へのログイン処理を行うべく制御するログイン制御手段として機能させることを特徴とする画像形成装置のプログラム。
【請求項８】
画像形成装置にログインするために用いる識別情報を記憶した携帯記憶媒体と、画像形成装置とを含む画像形成システムであって、
前記画像形成装置に前記識別情報を送信する識別情報送信手段と、
前記画像形成装置と通信している前記携帯記憶媒体と前記画像形成装置との位置関係により前記携帯記憶媒体と前記画像形成装置との距離を特定する距離特定手段と、
前記画像形成装置と通信している前記携帯記憶媒体の移動速度を、前記携帯記憶媒体の移動量の情報を用いて特定する速度特定手段と、
前記速度特定手段により特定された速度が、前記識別情報送信手段により送信されることで前記携帯記憶媒体より得られた識別情報を用いた前記画像形成装置へのログインを行うための速度にかかる条件を満たし、且つ、前記距離特定手段により特定された距離が、前記識別情報を用いた前記画像形成装置へのログインを行うための距離にかかる条件を満たしているか判定する判定手段と、
前記判定手段で、前記速度特定手段により特定された速度が前記速度にかかる条件を満たし、且つ、前記距離特定手段により特定された距離が、前記識別情報を用いた前記画像形成装置へのログインを行うための距離にかかる条件を満たしていると判定された場合に、前記携帯記憶媒体より得られた識別情報を用いた前記画像形成装置へのログイン処理を行うべく制御するログイン制御手段と、
を備えることを特徴とする画像形成システム。
【請求項９】
画像形成装置にログインするために用いる識別情報を記憶した携帯記憶媒体と、画像形成装置とを含む画像形成システムの制御方法であって、
前記画像形成装置に前記識別情報を送信する識別情報送信工程と、
前記画像形成装置と通信している前記携帯記憶媒体と前記画像形成装置との位置関係により前記携帯記憶媒体と前記画像形成装置との距離を特定する距離特定工程と、
前記画像形成装置と通信している前記携帯記憶媒体の移動速度を、前記携帯記憶媒体の移動量の情報を用いて特定する速度特定工程と、
前記速度特定工程により特定された速度が、前記識別情報送信工程により送信されることで前記携帯記憶媒体より得られた識別情報を用いた前記画像形成装置へのログインを行うための速度にかかる条件を満たし、且つ、前記距離特定工程により特定された距離が、前記識別情報を用いた前記画像形成装置へのログインを行うための距離にかかる条件を満たしているか判定する判定工程と、
前記判定工程で、前記速度特定工程により特定された速度が前記速度にかかる条件を満たし、且つ、前記距離特定工程により特定された距離が、前記識別情報を用いた前記画像形成装置へのログインを行うための距離にかかる条件を満たしていると判定された場合に、前記携帯記憶媒体より得られた識別情報を用いた前記画像形成装置へのログイン処理を行うべく制御するログイン制御工程と、
を含むことを特徴とする画像形成システムの制御方法。
【請求項１０】
画像形成装置にログインするために用いる識別情報を記憶した携帯記憶媒体と、画像形成装置とを含む画像形成システムを制御するプログラムであって、
前記画像形成システムを、
前記画像形成装置に前記識別情報を送信する識別情報送信手段と、
前記画像形成装置と通信している前記携帯記憶媒体と前記画像形成装置との位置関係により前記携帯記憶媒体と前記画像形成装置との距離を特定する距離特定手段と、
前記画像形成装置と通信している前記携帯記憶媒体の移動速度を、前記携帯記憶媒体の移動量の情報を用いて特定する速度特定手段と、
前記速度特定手段により特定された速度が、前記識別情報送信手段により送信されることで前記携帯記憶媒体より得られた識別情報を用いた前記画像形成装置へのログインを行うための速度にかかる条件を満たし、且つ、前記距離特定手段により特定された距離が、前記識別情報を用いた前記画像形成装置へのログインを行うための距離にかかる条件を満たしているか判定する判定手段と、
前記判定手段で、前記速度特定手段により特定された速度が前記速度にかかる条件を満たし、且つ、前記距離特定手段により特定された距離が、前記識別情報を用いた前記画像形成装置へのログインを行うための距離にかかる条件を満たしていると判定された場合に、前記携帯記憶媒体より得られた識別情報を用いた前記画像形成装置へのログイン処理を行うべく制御するログイン制御手段として機能させることを特徴とする画像形成システムのプログラム。